(57)【要約】【課題】  家庭や美容室等で洗髪や入浴等に利用できる利便性の高い軟水器を提供する。【解決手段】  樹脂室１と、空気を導入する吸気バルブ１８を有する再生室２と、ノズル２２、デフューザ２３、吸引口３１を有する噴射ポンプ２１とを備え、前記噴射ポンプ２１のノズル２２側に洗浄ライン２０を、デフューザ２３側と前記樹脂室１の間に洗浄ラインＡ２０ａを、吸引口３１側と前記再生室２下部の間に再生ラインＡ９ａを夫々接続するとともに、再生室２の上部に再生ライン９を、樹脂室１に原水軟水化ライン５と軟水ライン１５と排水ライン１１を接続し、さらに、前記軟水ライン１５に軟水バルブ７を、前記原水軟水化ライン５に原水軟水化バルブ６を設け、さらに、前記軟水バルブ７の開閉を制御する制御装置２７を設け、原水軟水化バルブ６を閉じ、軟水の放出を止める場合、前記軟水バルブ７が連動して閉じられるように制御装置２７で制御する。【選択図】  図１
2005052748.tif 000002
【特許請求の範囲】
【請求項１】
樹脂室（１）と、空気を導入する吸気バルブ（１８）を有する再生室（２）と、ノズル（２２）、デフューザ（２３）、吸引口（３１）を有する噴射ポンプ（２１）とを備え、前記噴射ポンプ（２１）のノズル（２２）側に洗浄ライン（２０）を、デフューザ（２３）側と前記樹脂室（１）の間に洗浄ラインＡ（２０ａ）を、吸引口（３１）側と前記再生室（２）下部の間に再生ラインＡ（９ａ）を夫々接続するとともに、再生室（２）の上部に再生ライン（９）を、樹脂室（１）に原水軟水化ライン（５）と軟水ライン（１５）と排水ライン（１１）を接続し、さらに、前記軟水ライン（１５）に軟水バルブ（７）を、前記原水軟水化ライン（５）に原水軟水化バルブ（６）を設け、さらに、前記軟水バルブ（７）の開閉を制御する制御装置（２７）を設け、原水軟水化バルブ（６）を閉じ、軟水の放出を止める場合、前記軟水バルブ（７）が連動して閉じられるように制御装置（２７）で制御することを特徴とする軟水器。
【発明の詳細な説明】
【技術分野】
【０００１】
本発明は、イオン交換樹脂等を用いて硬水を軟水化する軟水器に関するものである。
【背景技術】
【０００２】
従来のこの種の軟水器は、図３に示す構成になっていた。すなわち、４１は樹脂筒で、内部には所定量のイオン交換樹脂４３が収納されている。
【０００３】
樹脂筒４１の上方には原水タンク４４と塩水タンク４５が並列に設けられ、原水ライン４７と、塩水ライン４９と、原水流下ライン４２とにより樹脂筒４１と接続されている。
【０００４】
また、樹脂筒４１には軟水ライン５５とドレンライン５４が接続されている。
【０００５】
５３は電磁弁で、各ラインにそれぞれ設けられていて、この電磁弁５３を操作して通水工程、塩水再生工程、水洗工程を制御するようにしている。
【０００６】
つぎに、前記構成の軟水器の作用を説明する。まず、軟水ライン５５に通水する通水工程では、原水タンク４４の原水を原水ライン４７を通して樹脂筒４１に下部から供給して上部出口から軟水ライン５５に供給し、軟水ライン５５に通水する。
【０００７】
つぎに、塩水再生工程では、塩水タンク４５の飽和塩水と原水タンク４４の原水が塩水ライン４９と原水流下ライン４２を介して混合されて所定濃度の塩水になって樹脂筒４１の上部から内部に流下し、ドレンライン５４を介して排出されイオン交換樹脂４３が再生される。
【０００８】
つぎに、水洗工程では、原水流下ライン４２からの原水を樹脂筒４１の上部から内部に流下させ、内部の塩水を水洗しドレンライン５４を介して排出する（例えば、特許文献１参照）。
【０００９】
【特許文献１】特開平１１−１０４６３５号公報
【発明の開示】
【発明が解決しようとする課題】
【００１０】
しかしながら、上記従来の軟水器は、家庭や美容室等で洗髪等に利用する場合、軟水の取り出しを該当する電磁弁５３を閉じて中断しようとしたとき、機器内の水圧が大気圧まで下降するまでの間、軟水が垂れ流し状態になり不経済であった。
【００１１】
そこで、本発明は上記課題を解決し、利便性の高い軟水器を提供することを課題とする。
【課題を解決するための手段】
【００１２】
上記課題を解決するため、本発明の軟水器は樹脂室と、空気を導入する吸気バルブを有する再生室と、ノズル、デフューザ、吸引口を有する噴射ポンプとを備え、前記噴射ポンプのノズル側に洗浄ラインを、デフューザ側と前記樹脂室の間に洗浄ラインＡを、吸引口側と前記再生室下部の間に再生ラインＡを夫々接続するとともに、再生室の上部に再生ラインを、樹脂室に原水軟水化ラインと軟水ラインと排水ラインを接続し、さらに、前記軟水ラインに軟水バルブを、前記原水軟水化ラインに原水軟水化バルブを設け、さらに、前記軟水バルブの開閉を制御する制御装置を設け、原水軟水化バルブを閉じ、軟水の放出を止める場合、前記軟水バルブが連動して閉じられるように制御装置で制御するものである。
【発明の効果】
【００１３】
本発明の軟水器は、原水軟水化バルブを閉じ、軟水の放出を止める場合、軟水バルブが連動して閉じられるように制御装置で制御することにより、軟水の取り出しを中断したとき、機器内の水圧が大気圧まで下降するまでの間、軟水の垂れ流し状態がなくなり、短時間に軟水の放出が止まることにより軟水器を運転するときの経済性が向上する。
【００１４】
また、中断した軟水の取り出しを再開したときには、短時間で軟水が取り出せることができ利便性が増す。
【発明を実施するための最良の形態】
【００１５】
以下、本発明の一実施例を図１、図２を参照して説明する。
【００１６】
図において、１は樹脂室で、水密構造の筒体状をしており、内部には室容積に対して８０％程度イオン交換樹脂１３が入っている。
【００１７】
２は再生室で、容器２５と蓋４とパッキン２４から構成され、蓋４には吸気バルブ１８が設けられている。そして、容器２５は流入する水の圧力で水が漏れないように、パッキン２４と蓋４によって水密に閉じることができる。また、再生室２の蓋４に設けられた吸気バルブ１８は、外部から空気を吸気するが排出しない逆止弁構造を成している。また、再生室２の上部には再生ライン９が、底部には再生ラインＡ９ａが接続されている。そして、この再生室２は前記樹脂室１と平行か又は下方の位置に設けてあるので、樹脂室１と再生室２を含めた全高は低いものとなっている。
【００１８】
１４はリフレッシュ材で塩等よりなり、必要に応じて再生室２の蓋４を開けて容器２５内に投入されるものであり、前記イオン交換樹脂１３を再生するためのものである。
【００１９】
１６は原水供給コックであり、原水軟水化バルブ６と、再生バルブ１０と、洗浄バルブ１９から構成されていて、止水栓（図示せず）からの原水を受け、原水軟水化ライン５と、再生ライン９と、洗浄ライン２０とに水流を切り替えるものである。そして、この原水供給コック１６は、全閉、原水軟水化バルブ６のみ開、再生バルブ１０のみ開、洗浄バルブ１９のみ開の動作を行うことにより、原水軟水化ライン５と、再生ライン９と、洗浄ライン２０とに水流を切り替えることができるものである。
【００２０】
前記原水軟水化ライン５は、樹脂室１の下部と原水供給コック１６の原水軟水化バルブ６間を接続するものである。
【００２１】
また、原水軟水化バルブ６と、再生バルブ１０と、洗浄バルブ１９はそれぞれ適当な圧力で原水を通過せしめるように原水の圧力を適切に弱めることができるものである。
【００２２】
２１は噴出ポンプで、内部にはノズル２２とデフューザ２３と吸引口３１が設けてある。そして、ノズル２２側には洗浄バルブ１９に接続する洗浄ライン２０が、デフューザ２３側には樹脂室１の上部に接続する洗浄ラインＡ２０ａが、吸引口３１側には再生室２の下部に接続する再生ラインＡ９ａが夫々接続されている。
【００２３】
１７は放出コックであり、軟水バルブ７と、排水バルブ１２から構成されていて、樹脂室１の上部に接続した軟水ライン１５と、樹脂室１の下部に接続した排水ライン１１と、放出ライン８が接続されている。そして、この放出コック１７は、全閉、軟水バルブ７のみ開、排水バルブ１２のみ開の動作を行うことができ、軟水ライン１５からの軟水を放出ライン８に流したり、排水ライン１１からの排水を放出ライン８に流したりすることができるものである。
【００２４】
３２は圧力センサーで、原水軟水化ライン５の水圧を検出するもので、原水軟水化バルブ６を閉じたとき、原水軟水化ライン５の水圧が減少するのを検出して信号を出力することができるものである。
【００２５】
２７は制御装置で、圧力センサー３２の信号を受け軟水ライン１５に接続された軟水バルブ７の開閉を行うものである。
【００２６】
つぎに、前記構成の軟水器の作用について説明する。
【００２７】
まず、原水を軟水化するには、放出コック１７の軟水バルブ７を手で開くと、原水軟水化ライン５に原水が流入して、水圧が上昇し、圧力センサー３２がこの圧力上昇を検知して制御装置２７に信号を出力し、そして、制御装置２７は直ちに軟水ライン１５に接続された軟水バルブ７を開ける。そうすると、原水は１０リットル／分程度の流量で原水軟水化ライン５を通って樹脂室１の下方から樹脂室１内に入り、イオン交換樹脂１３を上に舞い上げながらカルシウム、マグネシウムをナトリウムに置換し、置換された原水は軟水化して樹脂室１の上部から軟水ライン１５を通り、放出コック１７の軟水バルブ７を経て放出ライン８から放出される。
【００２８】
そして、このとき、原水軟水化バルブ６は減圧弁の機能を有していて、原水の圧力を適度の圧力に変えて樹脂室１に送るようにしている。
【００２９】
そして、軟水の放出を止めるには、軟水バルブ７を手で閉じると、原水軟水化ライン５の水圧が減少し、圧力センサー３２がこの圧力減少を検知して制御装置２７に信号を出力し、そして、制御装置２７は直ちに軟水ライン１５に接続された軟水バルブ７を閉じる。したがって、放出ライン８から軟水の放出が直ちに停止され、原水軟水化ライン５や軟水ライン１５の配管中の水や樹脂室１内の水はそのまま残り、無駄に排出されることがなくなり、経済性が向上する。
【００３０】
また、軟水の放出を再度行うときは、軟水バルブ７を手で開けることにより、、原水軟水化ライン５の水圧が上昇し、この圧力上昇を圧力センサー３２が検知し、制御装置２７により軟水バルブ７を開けことにより、放出ライン８から直ちに軟水が放出されるようになり、したがって、軟水を使いたいとき短時間で軟水が出てくるので利便性が増すことになる。
【００３１】
つぎに、イオン交換樹脂１３を再生する場合は、排水バルブ１２を開き、続いて、再生ライン９の再生バルブ１０を開くと、低い圧力の１リットル／分程度の流量で再生ライン９を通り再生室２の上部から内部に原水が流れ込み、内部のリフレッシュ剤１４の塩が溶けた塩水が再生室２の下部から再生ラインＡ９ａと、噴射ポンプ２１と、洗浄ラインＡ２０ａを通り樹脂室１に移動を開始する。
【００３２】
そして、このとき、再生バルブ１０は減圧弁の機能を有しており、原水の圧力を適度の圧力に変えて樹脂室１に送るようにしている。
【００３３】
樹脂室１に入った塩水はイオン交換樹脂１３の再生を行い、樹脂室１の下方から排水ライン１１を通り、排水バルブ１２を通過して放出ライン８から放出される。このとき、樹脂室１内の水の流れを軟水作製時の原水の流れ方向とは逆にすることにより、軟水作製時にたまった不純物を取り除き易くして、循環系の清掃性を向上するようにしている。
【００３４】
また、このとき、再生用の原水の圧力を減圧して水の移動をゆっくりと行うことによりイオン交換樹脂１３の再生率を向上させている。そして、この作業はイオン交換樹脂１３の量に応じた時間で終了するようにしている。
【００３５】
つぎに、再生作業終了時にイオン交換樹脂１３に付着した余分な塩水や、排水ライン１１、排水バルブ１２、放出ライン８などに残った塩分を除去するために、洗浄作業を行う。
【００３６】
洗浄作業は再生バルブ１０を閉じ、洗浄バルブ１９を開き、１５リットル／分程度の大きな流量の原水を噴射ポンプ２１を経て樹脂室１に流入させ、イオン交換樹脂１３に付着した余分な塩水やゴミを洗い流し、さらに、排水ライン１１、排水バルブ１２、放出ライン８も洗浄しつつ放出ライン８から放出する。そして、この洗浄作業の時間は機器の構成によって異なる時間で終了するようにしている。
【００３７】
また、このとき、噴出ポンプ２１が作用し、噴出ポンプ２１を通過するときに原水はノズル２２で加速しデフューザ２３で減速される為、両者の間に挿入された吸引口３１はエジェクター効果により減圧され、この吸引口３１に再生ラインＡ９ａを通して接続された再生室２は負圧となり、吸気バルブ１８が負圧分だけ空気を吸いこみ、時間の経過と共に再生室２内の塩水が樹脂室１に原水とともに送り込まれ、ついには再生室２内の塩水が無くなり空気で満たされるようになる。その後、原水供給コック１６を全て閉じ、続いて放出コック１７も全て閉じて終了する。
【００３８】
つぎに、次回のイオン交換樹脂１３を再生するためのリフレッシュ剤１４を、再生室２の蓋４を開けてリフレッシュ剤投入口３から所定量投入し、蓋４を閉めて終了する。このように、再生室２を樹脂室１と平行又は下方に設けてあっても、リフレッシュ剤１４を投入するときには、再生室２内の塩水が無い状態であるため、水等をこぼす恐れが無く簡単に投入することができる。
【００３９】
このように、原水軟水化バルブ６を閉じ、軟水の放出を止める場合、軟水バルブ７が連動して閉じられるように制御装置２７で制御することにより、軟水の取り出しを中断したとき、機器内の水圧が大気圧まで下降するまでの間、軟水の垂れ流し状態がなくなり、短時間に軟水の放出が止まることにより軟水器を運転するときの経済性が向上する。
【００４０】
また、中断した軟水の取り出しを再開したときには、短時間で軟水が取り出せることができ利便性が増す。
【図面の簡単な説明】
【００４１】
【図１】本発明の一実施例を示す軟水器の概略説明図である。
【図２】同じく再生室と噴射ポンプの要部断面図である。
【図３】従来例を示す軟水器の概略説明図である。
【符号の説明】
【００４２】
１  樹脂室
２  再生室
５  原水軟水化ライン
５ａ  原水軟水化ラインＡ
６  原水軟水化バルブ
７  軟水バルブ
９  再生ライン
９ａ  再生ラインＡ
１１  排水ライン
１５  軟水ライン
１８  吸気バルブ
２０  洗浄ライン
２０ａ  洗浄ラインＡ
２１  噴射ポンプ
２２  ノズル
２３  デフューザ
２７  制御装置
３１  吸引口
【図１】
2005052748.tif 000003
【図２】
2005052748.tif 000004
【図３】
2005052748.tif 000005